(57)【特許請求の範囲】
【請求項１】
再生動作を指示するための回転操作部材と、該回転操作部材が所定角度回転する毎に出力される回転検出信号及び該回転操作部材の回転方向を検出する検出手段と、画像の再生を伴う再生モードおよび画像の再生を伴わない再生モードを有する複数の再生モードに対応して記録媒体の再生動作を制御する制御手段を備え、前記制御手段は、前記検出手段で検出した所定時間内における前記回転検出信号の出力回数と前記回転方向、並びに現在の再生モードに応じて回転操作後の再生モードを決定するとともに、前記現在の再生モードから決定した再生モードに直接的に遷移させることを特徴とする映像再生装置。
【請求項２】
前記画像の再生を伴う再生モードは、粗調と微調の画像再生モードであることを特徴とする請求項１記載の映像再生装置。
【請求項３】
前記検出手段による前記回転操作部材の回転方向の検出は、割り込み機能による一定周期での前記回転検出信号の検出により行うことを特徴とする請求項１又は２に記載の映像再生装置。
【請求項４】
テープ状の記録媒体から再生することを特徴とする請求項１ないし３何れか記載の映像再生装置。
【請求項５】
ディスク状の記録媒体から再生することを特徴とする請求項１ないし３何れか記載の映像再生装置。
【発明の詳細な説明】
【０００１】
【発明の属する技術分野】
本発明は、例えばＶＴＲの画像の再生を伴う再生モードにおける粗調と微調の複数の再生モードと画像の再生を伴わない再生モードを制御するために適用して好適な記録媒体の映像再生装置に関するものである。
【０００２】
【従来の技術】
従来より、例えばテープレコーダ（ＶＴＲ）においては、画像の再生を伴う再生モードにおける微調の制御に関して、いわゆるジョグダイアルと呼ばれるダイアルの（回転操作可能な回転操作部材）の回転速度に応じてコマ送りや再生速度を制御し、画像の再生を伴う再生モードにおける粗調の制御に関してはシャトリングと呼ばれるリングの回転角に応じて再生速度を制御、画像の再生を伴わない再生モードの制御に関してはテープの早送りスイッチや巻き戻しスイッチにより制御を行うことが提案されている。
【０００３】
【発明が解決しようとする課題】
しかしながら、上記のような従来の映像再生装置においては、前記複数の再生モードの制御を例えばビデオカメラ（カメラ一体型ＶＴＲ）にて実現するためには、ジョグダイアル、シャトリング、テープの早送りスイッチや巻き戻しスイッチを装備しなくてはならず、ビデオカメラでは小型化により特にジョグダイアルやシャトリング等が小さくなってしまうため粗調時や微調時における操作が使用者にとって非常に使いにくいものとなるという問題点があった。
【０００４】
本発明は上記のような問題点を解決するためになされたものであり、一つの回転操作部材により複数の再生モードの制御を容易な操作で行うことができる映像再生装置を提供することを目的とする。
【０００５】
【課題を解決するための手段】
本発明の映像再生装置は次のように構成したものである。
【０００６】
（１）再生動作を指示するための回転操作部材と、該回転操作部材が所定角度回転する毎に出力される回転検出信号及び該回転操作部材の回転方向を検出する検出手段と、画像の再生を伴う再生モードおよび画像の再生を伴わない再生モードを有する複数の再生モードに対応して記録媒体の再生動作を制御する制御手段を備え、前記制御手段は、前記検出手段で検出した所定時間内における前記回転検出信号の出力回数と前記回転方向、並びに現在の再生モードに応じて回転操作後の再生モードを決定するとともに、前記現在の再生モードから決定した再生モードに直接的に遷移させることを特徴とする映像再生装置。
【０００７】
（２）前記画像の再生を伴う再生モードは、粗調と微調の画像再生モードであることを特徴とする前記（１）記載の映像再生装置。
【０００８】
（３）前記検出手段による前記回転操作部材の回転方向の検出は、割り込み機能による一定周期での前記回転検出信号の検出により行うことを特徴とする前記（１）又は（２）に記載の映像再生装置。
【００１３】
（４）テープ状の記録媒体から再生することを特徴とする前記（１）ないし（３）何れか記載の映像再生装置。
【００１４】
（５）ディスク状の記録媒体から再生することを特徴とする前記（１）ないし（３）何れか記載の映像再生装置。
【００１６】
【発明の実施の形態】
図１は本発明に係るビデオカメラ（カメラ一体型ＶＴＲ）の要部構成を示すブロック図である。同図において、４はサーボならびに各部の制御を行うシステムコントロールであり、マイクロコンピュータ６を有している。
【００１７】
１は被写体を映像信号に変換する撮像部、２はビデオ信号処理部、５はビデオ信号処理部２により処理された信号を記録媒体である磁気テープに記録および磁気テープに記録された信号の再生を行うメカデッキ部、３はビデオ信号処理部２により処理された映像信号をモニターするためのＥＶＥ部、７は再生スイッチ、８は停止ステッチ、９は一時停止スイッチ、１０は記録媒体から正方向あるいは逆方向の再生を行うための回転操作可能な回転操作部材である回転操作スイッチ、１１はリモコン信号受信部である。
【００１８】
上記構成において、マイクロコンピュータ６は回転操作スイッチ１０の回転速度と回転方向を検出する検出手段およびその回転検出出力に応じた記録媒体と再生ヘッドの相対位置を制御し、複数の再生モードを制御する制御手段を構成している。
【００１９】
図２は回転操作スイッチ１０を回転操作（方向転換）をしない場合の再生モード保持時のモード遷移例を示す説明図であり、所定の回転速度に達するまで所定の再生モードを保持する様子を示している。
【００２０】
図３は回転操作スイッチ１０の回転方向転換時に於けるモード遷移例を示す説明図であり、回転操作スイッチ１０の回転方向転換を検出した際に同一の速度で再生方向を転換する様子を示している。
【００２１】
図４は回転操作スイッチ１０の回転方向を示す図であり、回転操作スイッチ１０が時計方向または反時計方向に３０度回転される度に検出信号Ａ，Ｂを出力する。
【００２２】
図５，６、上記の検出信号Ａ，Ｂにより回転操作スイッチ１０の回転方向を検出する方法を示している。なお、検出信号Ａ，Ｂの検出はマイクロコンピュータ６の外部信号割り込み機能や不図示のタイマー割り込み機能に一定周期で行われる。図５に示す検出方法では、検出信号ＡがＯｎ状態の際に検出信号ＢがＯｆｆ状態からＯｎに変化したことにより回転操作スイッチ１０が時計方向の回転であることを検出し（図５（ａ））、検出信号ＢがＯｎ状態の際に検出信号ＡがＯｆｆ状態からＯｎ状態に変化したことにより回転スイッチ１０が反時計方向の回転であることを検出する（図５（ｂ））。
【００２３】
また、図６に示す検出方法では、検出信号Ａの立ち上がりＥｄｇｅ時に検出信号ＢがＯｆｆ状態であることにより回転操作スイッチ１０が時計方向の回転であることを検出し（図６（ａ））、検出信号Ａの立ち上がりＥｄｇｅ時に検出信号ＢがＯｎ状態であることにより回転操作スイッチ１０が反時計方向の回転であることを検出する（図６（ｂ））。
【００２４】
図７は回転操作スイッチ１０の回転検出（時計方向の場合）による再生モード／テープ送りのモード遷移を行う場合の検出方法を示す信号波形図であり、図７（ａ）は回転操作スイッチ１０の回転が一回検出された場合（Ｔｙｐｅ▲１▼）を示しており、図７（ｂ）は回転操作スイッチ１０の回転が複数検出され、その複数の検出信号の合計時間により回転速度を検出する場合を示している（Ｔｙｐｅ▲２▼）。上述したモード遷移を表１に示す。
【００２５】
【表１】
0003847930.tif 000002
【００２６】
図８は一実施例の回転操作スイッチ１０の回転により行われる処理動作を示すフローチャート、図９は図８の回転検出処理動作を示すフローチャート、図１０は図８のモード遷移処理動作を示すフローチャートであり、上述した回転検出方法によるモード遷移処理動作を示する。なお、図８〜図１０の処理動作は不図示のＲＯＭに格納されたプログラムによりマイクロコンピュータ６により行われるものである。
【００２７】
0003847930.tif 000003
【００２８】
0003847930.tif 000004
【００２９】
モード遷移サブルーチンでは表１のモード遷移表に基づいてモード遷移が行われるが、図１０のフローチャートではモード遷移表に於けるＳｌｏｗ×１／５（ステップｓ１２Ｃ）に付いて詳細に説明をおこなう。他の動作モードについてはＳｌｏｗ×１／５同様にモード遷移表によってモード遷移をおこなうためここでは省略する。まず、ステップｓ１１において現在動作中の動作モードのチェックが行われＳｌｏｗ×１／５の場合にはステップＳ１２に分岐する。
【００３０】
つぎに、ステップｓ１３において回転Ｔｙｐｅのチェックが行われ、回転ＴｙｐｅがＴｙｐｅ▲１▼であればステップｓ１４に分岐し、回転検出サブルーチンにより得られた回転方向が反時計方向である場合にはステップｓ１５に分岐し、図３の方向転換時に於けるモード遷移例に示すように、再生停止または静止再生モードを保持することなくすみやかに動作モードをＳｌｏｗ−×１／５としモード遷移の処理を終了とする。また回転方向が時計方向である場合にはステップｓ１６に分岐し、表１に於けるモード遷移表に基づき動作モードをＦｗｄＳｔｉｌｌとしモード遷移の処理を終了する。
【００３１】
ステップｓ１３において回転ＴｙｐｅがＴｙｐｅ▲２▼であればステップｓ１７に分岐し、回転検出サブルーチンにより得られた回転方向が反時計方向である場合にはステップＳ１８、時計方向である場合にはステップＳ１９に分岐し、各々のステップで回転速度のチェックをおこない、チェックされた回転速度により表１に於けるモード遷移表に基づき動作モードを各々Ｓｌｏｗ−×１／５（ステップｓ２０）、Ｓｌｏｗ−×１（ステップｓ２１）、Ｓｌｏｗ−×１０（ステップｓ２２）、Ｓｌｏｗ×１／５（ステップｓ２３）、Ｓｌｏｗ×１（ステップｓ２４）、Ｓｌｏｗ×１０（ステップｓ２５）としモード遷移の処理を終了する。
【００３２】
表１のモード遷移表に基づきモード移行した動作モードは、図２の回転操作をしない場合の再生モード保持時のモード遷移例に示すようにステップｓ０１において回転の検出がされない限り保持される。
【００３３】
なお、本実施例では記録媒体に磁気テープを用いる場合について説明したが、ディスク状の記録媒体であってもよい。
【００３４】
このように本実施例では、一つの回転操作スイッチの回転検出、及び回転速度検出を行い、図２，３に示すようにビデオカメラの現在のモードによって前記検出情報によりモード遷移を行うことにより、上記複数の再生モードの制御を一つの回転操作部材でおこなうことにより操作スイッチ自体を大きくすることが可能となるともとに一つの操作部により粗調や微調の再生モードや画像の再生を伴わない再生モードの制御が行えるため使用者にとって容易に操作が行うことができる。
【００３５】
【発明の効果】
以上説明したように、本発明によれば、再生を行うための回転操作部材と、該回転操作部材の回転速度と回転方向を検出する検出手段と、記録媒体と再生ヘッドの相対位置を前記回転操作部材の回転検出出力に応じて制御する制御手段を備えるとともに、複数の再生モードを有し、前記制御手段は、その複数の再生モードを一つの前記回転操作部材の回転検出出力に応じて制御するようにしたため、複数の再生モードの制御を一つの回転操作スイッチで容易に行うことができるという効果がある。具体的には、回転操作のみで例えばジョグモード的な再生動作やシャトルモード的な再生動作を制御できるという効果がある。
【図面の簡単な説明】
【図１】  本発明に係るビデオカメラの要部構成を示すブロック図
【図２】  回転操作しない場合の再生モード保持時のモード遷移例を示す説明図
【図３】  方向転換時に於けるモード遷移例を示す説明図
【図４】  回転操作スイッチの回転方向を示す説明図
【図５】  回転操作スイッチの回転方向の検出方法を示す信号波形図
【図６】  回転操作スイッチの回転方向の検出方法を示す信号波形図
【図７】  再生モード／テープ送りのモード遷移を行う場合の検出方法を示す信号波形図
【図８】  一実施例の回転操作スイッチの回転により行われる処理動作を示すフローチャート
【図９】  図８の回転検出処理動作を示すフローチャート
【図１０】  図８のモード遷移処理動作を示すフローチャート
【符号の説明】
１  撮像部
２  ビデオ信号処理部
３  ＥＶＦ部
４  システムコントロール部
５  メカデッキ部
６  マイクロコンピュータ（検出手段，再生制御手段）
７  再生スイッチ
８  停止スイッチ
９  一時停止スイッチ
１０  回転操作スイッチ
１１  リモコン信号受信部
【図１】
0003847930.tif 000005
【図２】
0003847930.tif 000006
【図３】
0003847930.tif 000007
【図４】
0003847930.tif 000008
【図５】
0003847930.tif 000009
【図６】
0003847930.tif 000010
【図７】
0003847930.tif 000011
【図８】
0003847930.tif 000012
【図９】
0003847930.tif 000013
【図１０】
0003847930.tif 000014